(57)【要約】【課題】屋外状況を利用して屋内環境を好適に調整することができる屋内環境監視システムを提供することを主たる目的とする。【解決手段】建物１０には、複数の居住空間１５，１６が設けられており、窓部４２や天窓４３のサッシ戸４４、出入口４６のドア４８、欄間４７の欄間扉４９を開放することで各居住空間１５，１６に外気を取り込むことが可能になっている。建物１０においては、ホームサーバにより屋内環境監視処理が実行される。ホームサーバは、居住空間１５，１６について、通風を行う通風対象と通風を行わない非通風対象とを設定し、通風対象とされた居住空間１５，１６を含み且つ非通風対象とされた居住空間１５，１６を含まない通風経路を設定し、通風経路については、サッシ戸４４やドア４８、欄間扉４９を開放させ、それによって、建物１０内の通風を行う。【選択図】      図１
2014081163.tif 000002
【特許請求の範囲】
【請求項１】
建物内空間として設けられた複数の屋内領域と、
前記複数の屋内領域のそれぞれに設けられ、屋外の状況である屋外状況を各屋内領域に取り込むべく非操作状態から操作状態に移行される屋外状況取込手段と、
を備えている建物に適用され、
前記屋外状況取込手段による前記屋外状況の取り込みに伴って変化する各屋内領域の環境を監視する屋内環境監視システムであって、
前記複数の屋内領域のそれぞれについて、前記屋外状況を取り込まない閉鎖領域であるか否かを判定する閉鎖判定手段と、
前記屋外状況を前記閉鎖領域ではない非閉鎖領域に取り込むことの目的とされる目的項目をあらかじめ定めておき、該目的項目に関連する関連情報を取得する情報取得手段と、
前記非閉鎖領域の前記屋外状況取込手段が前記操作状態に移行された場合を想定して、前記非閉鎖領域について、前記情報取得手段により取得された前記関連情報に基づいて前記目的項目の状態変化を予測する変化予測手段と、
前記非閉鎖領域について、前記変化予測手段により予測された前記目的項目の状態変化が所定の目的態様に含まれるか否かを判定する変化判定手段と、
前記変化判定手段により、前記非閉鎖領域についての前記目的項目の状態変化の予測が前記目的態様に含まれると判定された場合に、前記閉鎖領域の前記屋外状況取込手段を前記操作状態に移行させないための処理、及び前記非閉鎖領域の前記屋外状況取込手段を前記操作状態に移行させるための処理を行う移行処理手段と、
を備えていることを特徴とする屋内環境監視システム。
【請求項２】
建物外周部に設けられた通気部を通じて外気が前記屋内領域に取り込まれることで、前記屋外状況が該屋内領域に取り込まれる建物に適用され、
前記目的項目は、前記通気部を通じて前記屋内領域に外気が取り込まれることで状態変化が生じる項目であり、
前記屋外状況取込手段は、前記通気部を通じて前記屋内領域に外気を取り込むべく通気遮断状態から通気状態に移行される通気遮断手段を有しており、
前記変化予測手段は、前記非閉鎖領域について、前記通気遮断手段が前記通気状態に移行された場合を想定して前記目的項目の状態変化を予測するものであり、
前記移行処理手段は、前記閉鎖領域の前記通気遮断手段を前記通気状態に移行させないための処理、及び前記非閉鎖領域の前記通気遮断手段を前記通気状態に移行させるための処理を行うものであることを特徴とする請求項１に記載の屋内環境監視システム。
【請求項３】
前記建物内の通風が行われる場合に外気の通り路となる通風経路を、前記閉鎖領域を含まない経路として設定する経路設定手段を備え、
前記移行処理手段は、前記経路設定手段により設定された前記通風経路について、該通風経路に含まれている前記非閉鎖領域の前記通気遮断手段を前記通気状態に移行させるための処理を行うものであることを特徴とする請求項２に記載の屋内環境監視システム。
【請求項４】
前記変化予測手段は、前記通風経路を通じて前記非閉鎖領域の通風が行われた場合を想定して、前記非閉鎖領域について前記目的項目としての通風量を予測する手段を有し、
前記変化判定手段は、予測された前記通風量が目標量であるか否かを判定する手段を有し、
前記経路設定手段は、前記通風量についての判定結果に基づいて前記通風経路を設定するものであることを特徴とする請求項３に記載の屋内環境監視システム。
【請求項５】
前記非閉鎖領域の前記屋外状況取込手段が前記操作状態に移行された場合を想定して、前記情報取得手段により取得された関連情報に基づいて、前記非閉鎖領域の環境を整える上での妨げになる阻害項目の状態変化を予測する阻害予測手段を備え、
前記経路設定手段は、前記阻害予測手段の予測結果に基づいて前記通風経路を設定するものであることを特徴とする請求項３又は４に記載の屋内環境監視システム。
【請求項６】
前記非閉鎖領域について、前記阻害予測手段により予測された前記阻害項目の状態変化が所定の許容範囲を超えるか否かを判定する阻害判定手段を備え、
前記経路設定手段は、前記阻害予測手段により予測された前記非閉鎖領域についての前記阻害項目の状態変化が前記所定の許容範囲を超えないように、前記通風経路を設定するものであることを特徴とする請求項５に記載の屋内環境監視システム。
【請求項７】
前記通気遮断手段は、当該通気遮断手段に対して手動操作が行われることで前記通気遮断状態から前記通気状態に移行されるものであり、
前記経路設定手段は、前記通気遮断手段に対して前記手動操作を行うための操作負荷に基づいて、前記通風経路を設定するものであることを特徴とする請求項３乃至６のいずれか１項に記載の屋内環境監視システム。
【請求項８】
前記複数の屋内領域のそれぞれを対象として空調を個別に行うことが可能な空調装置を備え、
前記閉鎖判定手段は、
前記複数の屋内領域のそれぞれについて前記空調装置により空調が行われているか否かを判定し、空調が行われている前記屋内領域がある場合に該屋内領域を前記閉鎖領域とする手段を有していることを特徴とする請求項１乃至７のいずれか１項に記載の屋内環境監視システム。
【請求項９】
前記複数の屋内領域のうちあらかじめ定められた特定領域を対象として人がいることを検出する人検出手段を備え、
前記閉鎖判定手段は、前記人検出手段により前記特定領域に人がいることが検出されたか否かを判定し、前記特定領域に人がいる場合に該特定領域を前記閉鎖領域とする手段を有していることを特徴とする請求項１乃至８のいずれか１項に記載の屋内環境監視システム。
【発明の詳細な説明】
【技術分野】
【０００１】
本発明は、屋内環境監視システムに関するものである。
【背景技術】
【０００２】
住宅等の建物においては、窓部のサッシ戸やシャッタカーテンを開放することにより、屋外から外気や太陽光を建物内空間に取り込むことができる。この場合、屋外状況を建物内に取り込むことにもなる。例えば、サッシ戸を開放して外気を窓部から建物内空間に取り込むことにより、建物内空間の通風を行うことや、湿度や温度を調整することが可能となる。例えば、屋内環境と屋外環境とをそれぞれ計測し、それら計測結果に基づいて屋内環境の最適条件を設定し、さらに、その最適条件に合わせて作成した提案情報をユーザに視覚的に案内するようにした技術が提案されている（例えば特許文献１）。
【先行技術文献】
【特許文献】
【０００３】
【特許文献１】特開２００６−３００４２８号公報
【発明の概要】
【発明が解決しようとする課題】
【０００４】
しかしながら、建物が複数の屋内領域を有し、隣り合う屋内領域が間仕切壁の開口部により連通されている構成においては、それら屋内領域同士でそれぞれの屋内環境が互いに影響し合うことになる。このため、複数の屋内領域のうちいずれか１つの屋内領域の窓部から外気や太陽光を取り込むことで屋外状況を建物内に取り込む場合であっても、他の屋内領域にも屋外状況の影響が及んで各屋内領域の環境が一様に変化することが懸念される。この場合、各屋内領域において、使用目的や使用状況、使用者の嗜好などにより環境が個別に設定されていても、いずれかの屋内領域の環境を屋外状況の取り込みによって変化させることで、他の屋内領域の環境も意図せずに変化してしまう。
【０００５】
本発明は、屋外状況を利用して屋内環境を好適に調整することができる屋内環境監視システムを提供することを主たる目的とするものである。
【課題を解決するための手段】
【０００６】
以下、上記課題を解決するのに有効な手段等につき、必要に応じて作用、効果等を示しつつ説明する。
【０００７】
第１の発明の屋内環境監視システムは、建物内空間として設けられた複数の屋内領域と、前記複数の屋内領域のそれぞれに設けられ、屋外の状況である屋外状況を各屋内領域に取り込むべく非操作状態から操作状態に移行される屋外状況取込手段と、を備えている建物に適用され、前記屋外状況取込手段による前記屋外状況の取り込みに伴って変化する各屋内領域の環境を監視する屋内環境監視システムであって、前記複数の屋内領域のそれぞれについて、前記屋外状況を取り込まない閉鎖領域であるか否かを判定する閉鎖判定手段と、前記屋外状況を前記閉鎖領域ではない非閉鎖領域に取り込むことの目的とされる目的項目をあらかじめ定めておき、該目的項目に関連する関連情報を取得する情報取得手段と、前記非閉鎖領域の前記屋外状況取込手段が前記操作状態に移行された場合を想定して、前記非閉鎖領域について、前記情報取得手段により取得された前記関連情報に基づいて前記目的項目の状態変化を予測する変化予測手段と、前記非閉鎖領域について、前記変化予測手段により予測された前記目的項目の状態変化が所定の目的態様に含まれるか否かを判定する変化判定手段と、前記変化判定手段により、前記非閉鎖領域についての前記目的項目の状態変化の予測が前記目的態様に含まれると判定された場合に、前記閉鎖領域の前記屋外状況取込手段を前記操作状態に移行させないための処理、及び前記非閉鎖領域の前記屋外状況取込手段を前記操作状態に移行させるための処理を行う移行処理手段と、を備えていることを特徴とする。
【０００８】
第1の発明によれば、非閉鎖領域については、屋外状況を取り込むことで目的項目の状態を目的に沿うように変化させることができ、閉鎖領域については、屋外状況を取り込まないことで現在の環境を保持することができる。この場合、建物においては、屋外状況を取り込むことでメリットを得ることができる屋内領域と、屋外状況を取り込むことでデメリットが生じることを防止できる屋内領域とを両方とも確保することができる。つまり、屋外状況を利用して屋内環境を整えることができる構成において、屋内領域ごとに異なる環境を確保することができる。したがって、屋外状況を利用して屋内環境を好適に調整することができる。
【０００９】
第２の発明では、第１の発明において、建物外周部に設けられた通気部を通じて外気が前記屋内領域に取り込まれることで、前記屋外状況が該屋内領域に取り込まれる建物に適用され、前記目的項目は、前記通気部を通じて前記屋内領域に外気が取り込まれることで状態変化が生じる項目であり、前記屋外状況取込手段は、前記通気部を通じて前記屋内領域に外気を取り込むべく通気遮断状態から通気状態に移行される通気遮断手段を有しており、前記変化予測手段は、前記非閉鎖領域について、前記通気遮断手段が前記通気状態に移行された場合を想定して前記目的項目の状態変化を予測するものであり、前記移行処理手段は、前記閉鎖領域の前記通気遮断手段を前記通気状態に移行させないための処理、及び前記非閉鎖領域の前記通気遮断手段を前記通気状態に移行させるための処理を行うものである。
【００１０】
第２の発明によれば、非閉鎖領域においては外気により環境を変化させることができる一方で、閉鎖領域においては外気による環境変化を回避することができる。換言すれば、非閉鎖領域に対しては、外気の取り込みに伴って生じる環境変化を付与することができ、閉鎖領域に対しては、外気の取り込みに伴って生じるデメリットを付与しないで済む。
【００１１】
第３の発明では、第２の発明において、前記建物内の通風が行われる場合に外気の通り路となる通風経路を、前記閉鎖領域を含まない経路として設定する経路設定手段を備え、前記移行処理手段は、前記経路設定手段により設定された前記通風経路について、該通風経路に含まれている前記非閉鎖領域の前記通気遮断手段を前記通気状態に移行させるための処理を行うものである。
【００１２】
第３の発明によれば、通風経路において外気が建物内を通り抜けるため、非閉鎖領域の環境を外気により容易に変化させることができる。しかも、通風経路には閉鎖領域が含まれていないため、閉鎖領域の通気遮断手段を通気状態に移行させなくても、外気が非閉鎖領域を通り抜ける状態を実現できる。したがって、閉鎖領域に外気が取り込まれることを規制した上で、非閉鎖領域への外気の取り込みを実現できる。
【００１３】
第４の発明では、第３の発明において、前記変化予測手段は、前記通風経路を通じて前記非閉鎖領域の通風が行われた場合を想定して、前記非閉鎖領域について前記目的項目としての通風量を予測する手段を有し、前記変化判定手段は、予測された前記通風量が目標量であるか否かを判定する手段を有し、前記経路設定手段は、前記通風量についての判定結果に基づいて前記通風経路を設定するものである。
【００１４】
建物内に閉鎖領域が設定されている場合、建物内を通り抜ける外気の流れが閉鎖領域により規制されることが懸念される。これに対して、第４の発明によれば、非閉鎖領域の通風量に応じて通風経路が設定されるため、建物内における外気の流れが閉鎖領域により規制された状態であっても、通風量を十分に確保することが可能な通風経路により非閉鎖領域に外気を取り込むことができる。
【００１５】
第５の発明では、第３又は第４の発明において、前記非閉鎖領域の前記屋外状況取込手段が前記操作状態に移行された場合を想定して、前記情報取得手段により取得された関連情報に基づいて、前記非閉鎖領域の環境を整える上での妨げになる阻害項目の状態変化を予測する阻害予測手段を備え、前記経路設定手段は、前記阻害予測手段の予測結果に基づいて前記通風経路を設定するものである。
【００１６】
建物内に閉鎖領域が設定されている場合、建物内を通り抜ける外気の流れが閉鎖領域により規制される状況によって阻害項目の状態変化が異なることが懸念される。これに対して、第５の発明によれば、阻害項目の状態変化に応じて通風経路が設定されるため、建物内への外気の取り込みに伴う阻害項目の状態変化が生じにくい通風経路により、非閉鎖領域に外気を取り込むことが可能となる。
【００１７】
第６の発明では、第５の発明において、前記非閉鎖領域について、前記阻害予測手段により予測された前記阻害項目の状態変化が所定の許容範囲を超えるか否かを判定する阻害判定手段を備え、前記経路設定手段は、前記阻害予測手段により予測された前記非閉鎖領域についての前記阻害項目の状態変化が前記所定の許容範囲を超えないように、前記通風経路を設定するものである。
【００１８】
第６の発明によれば、建物内を通り抜ける外気の流れが閉鎖領域により規制されて状況において、外気の取り込みに伴って非閉鎖領域についての阻害項目の状況変化が許容範囲を超えることを抑制できる。したがって、非閉鎖領域においては、目的項目を目的に沿って変化させることができ、しかも、阻害項目が意図しない態様で変化することを抑制できる。
【００１９】
第７の発明では、第３乃至第６の発明のいずれかにおいて、前記通気遮断手段は、当該通気遮断手段に対して手動操作が行われることで前記通気遮断状態から前記通気状態に移行されるものであり、前記経路設定手段は、前記通気遮断手段に対して前記手動操作を行うための操作負荷に基づいて、前記通風経路を設定するものである。
【００２０】
建物内に閉鎖領域が設定されている場合、通風経路に含まれる通気部の通気遮断手段を操作するための操作負荷が、閉鎖領域が設定されていない場合よりも大きくなることが懸念される。これに対して、第７の発明によれば、通風経路を確保するための操作負荷に応じて通風経路が設定されるため、通風量は少なめでも操作負荷が小さく作業が容易な通風経路と、操作負荷は大きくても通風量を十分に確保できる通風経路とを選択することができる。したがって、住人等のユーザの年齢や体調などに応じて、非閉鎖領域への外気の取り込み態様と通風経路を確保するための操作負荷とのバランスをとることができる。
【００２１】
第８の発明では、第１乃至第７の発明のいずれかにおいて、前記複数の屋内領域のそれぞれを対象として空調を個別に行うことが可能な空調装置を備え、前記閉鎖判定手段は、前記複数の屋内領域のそれぞれについて前記空調装置により空調が行われているか否かを判定し、空調が行われている前記屋内領域がある場合に該屋内領域を前記閉鎖領域とする手段を有している。
【００２２】
第８の発明によれば、空調装置による空調が行われている屋内領域が閉鎖領域とされるため、その閉鎖領域において、空調が行われているにもかかわらず屋外状況が取り込まれて環境が変化してしまうということを回避できる。
【００２３】
第９の発明では、第１乃至第８の発明のいずれかにおいて、前記複数の屋内領域のうちあらかじめ定められた特定領域を対象として人がいることを検出する人検出手段を備え、前記閉鎖判定手段は、前記人検出手段により前記特定領域に人がいることが検出されたか否かを判定し、前記特定領域に人がいる場合に該特定領域を前記閉鎖領域とする手段を有している。
【００２４】
第９の発明によれば、特定領域に人がいる場合に、その特定領域の環境が屋外状況により変化するということを抑制できる。これにより、例えばユーザが入浴中の浴室に外気や日射が取り込まれることや、ユーザが作業している書斎等に意図せずに外気や日射が取り込まれることを回避できる。
【図面の簡単な説明】
【００２５】
【図１】建物の概略構成を示す縦断面図
【図２】建物の間取りを示す平面図
【図３】和室周辺の概略縦断面図
【図４】屋内環境監視処理の手順を示すフローチャート
【図５】通風処理の手順を示すフローチャート
【図６】建物にて行われる通風の態様について説明するための図
【図７】建物にて行われる採光の態様について説明するための図
【発明を実施するための形態】
【００２６】
以下、本発明を具体化した一実施形態について図面を参照しつつ説明する。本実施形態では、本発明の屋内環境監視システムを建物において具体化しており、その屋内環境監視システムにより建物の屋内環境の監視（管理）を行う構成となっている。図１は建物１０の概略構成を示す縦断面図、図２は建物１０の間取りを示す平面図である。なお、図２においては、（ａ）が一階部分１２の間取りであり、（ｂ）が二階部分１３の間取りである。
【００２７】
図１、図２に示すように、住宅等の建物１０は、基礎１１の上に設けられた一階部分１２と、一階部分１２の上に設けられた二階部分１３と、二階部分１３の上に設けられた屋根１４とを有している。下階部としての一階部分１２と上階部としての二階部分１３とは上下に重ねられている。屋根１４は、切妻や寄棟といった傾斜部を有する屋根とされている。
【００２８】
建物１０は、建物内空間として居住空間１５，１６を有している。一階居住空間１５は一階部分１２に複数設けられており、玄関２１や廊下２２、リビング２３、キッチン２４、和室２５、トイレ２６、浴室２７、脱衣室２８などを形成している。また、二階居住空間１６は二階部分１３に複数設けられており、廊下３１や子供部屋３２、寝室３３、書斎３４、トイレ３５などを形成している。
【００２９】
建物１０は、一階部分１２と二階部分１３との行き来を可能とする階段３７を有しており、階段３７は階段空間３８に設置されている。階段空間３８は、一階部分１２と二階部分１３との境界を跨いで上下方向に延びており、上下に連続した一階居住空間１５及び二階居住空間１６により形成されている。階段空間３８は、二階部分１３の床部が設置されていない非設置部分を通じて一階部分１２から二階部分１３に向けて吹き抜けた吹抜空間とされており、階段空間３８においては、その床面が一階部分１２の床部により形成され、その天井面が二階部分１３の天井部により形成されている。
【００３０】
建物１０は外壁面を形成する外壁４１を有しており、その外壁４１には窓部４２が複数設けられている。窓部４２が設けられた居住空間１５，１６においては、窓部４２を通じて外気を取り込むことが可能になっている。また、屋根１４には、トップライトとしての天窓４３が設けられている。天窓４３は例えば階段空間３８の上方に配置されており、階段空間３８においては、天窓４３を通じて外気を取り込むことが可能になっている。窓部４２及び天窓４３には、開閉可能なサッシ戸４４がそれぞれ設けられており、サッシ戸４４が開放されることで窓部４２及び天窓４３を通じた通気が行われる。
【００３１】
階段空間３８や廊下２２，３１には、天窓４３のサッシ戸４４を開閉させることが可能な操作レバーが設けられている。この場合、住人等のユーザは、梯子等で天窓４３付近まで登らなくても、一階部分１２や二階部分１３の床面にいる状態で操作レバーを操作することにより、天窓４３のサッシ戸４４を容易に開閉することができる。
【００３２】
なお、窓部４２及び天窓４３は、屋外空間と建物内空間との間での通気を可能とする通気部となっており、外壁４１や屋根１４といった建物外周部に設けられている。建物外周部の通気部については、サッシ戸４４が通気遮断手段に相当する。この場合、サッシ戸４４の開放状態が通気状態に相当し、サッシ戸４４の閉鎖状態が通気遮断状態に相当する。
【００３３】
建物１０は、各階において横並びに隣り合う居住空間１５，１６同士を仕切る間仕切壁４５を有しており、その間仕切壁４５には、隣り合う居住空間１５，１６の間の出入りを可能とする出入口４６が設けられている。間仕切壁４５において出入口４６の上方には、隣り合う居住空間１５，１６を連通する欄間４７が設けられている。出入口４６には開閉可能なドア４８が設けられており、ドア４８が開放されることでドア４８を通じた通気が行われる。欄間４７には開閉可能な欄間扉４９が設けられており、欄間扉４９が開放されることで欄間４７を通じた通気が行われる。
【００３４】
なお、出入口４６及び欄間４７は、間仕切壁４５により仕切られた居住空間１５，１６同士の間での通気を可能とする通気部となっており、間仕切壁４５に設けられている。隣り合う居住空間１５，１６のうち一方に外気が取り込まれた場合、その外気が間仕切壁４５の通気部を通じて他方に流れ込むことになる。このため、間仕切壁４５においては、ドア４８や欄間扉４９が通気遮断手段に相当する。この場合、ドア４８や欄間扉４９の開放状態が通気状態に相当し、ドア４８や欄間扉４９の閉鎖状態が通気遮断状態に相当する。
【００３５】
建物１０には、隣り合う居住空間１５，１６の間に間仕切壁４５が設けられている部分と、隣り合う居住空間１５，１６の間に間仕切壁４５が設けられていない部分とが含まれており、間仕切壁４５により仕切られているか否かに関係なく各居住空間１５，１６はそれぞれ屋内領域に相当する。例えば、一階部分１２において、リビング２３と和室２５との間には間仕切壁４５が設けられている一方で、リビング２３とキッチン２４との間には間仕切壁４５が設けられていないが、リビング２３、キッチン２４及び和室２５はいずれも屋内領域に相当する。
【００３６】
建物１０においては、二階部分１３の廊下３１や階段空間３８といった共用部分に気流発生手段としてのシーリングファン３９が設けられている。シーリングファン３９は、例えば階段空間３８の上方において天井部に取り付けられており、正逆いずれの方向にも回転可能になっている。この場合、シーリングファン３９の回転方向に応じて、階段空間３８にて上向きの気流及び下向きの気流のいずれかが選択的に生じることになる。また、シーリングファン３９は、天窓４３の下方に配置されており、サッシ戸４４により天窓４３を開放させた状態でシーリングファン３９により上向きの気流を生じさせることで、天窓４３から内気を屋外に排出することが可能となり、下向きの気流を生じさせることで、天窓４３から外気を階段空間３８に取り込むことが可能となる。
【００３７】
各居住空間１５，１６には、窓部４２にシャッタ装置５１が設けられた居住空間１５，１６が含まれている。例えば、一階部分１２の和室２５の窓部４２ａにはシャッタ装置５１が設けられている。ここでは、和室２５の構成について図３を参照しつつ説明する。図３は、和室２５周辺の概略縦断面図である。なお、図３は、屋内環境監視システムの電気的な構成を示すブロック図を含んでいる。
【００３８】
図３に示すように、シャッタ装置５１は窓部４２ａの屋外側に設置されている。シャッタ装置５１は、サッシ戸４４の屋外面に沿うように昇降するシャッタカーテン５２と、シャッタカーテン５２を収納するシャッタケース５３とを有している。シャッタケース５３は、窓部４２ａの上方において外壁４１の屋外面に対して取り付けられている。シャッタカーテン５２は、シャッタケース５３内に設けられた巻取ドラムに巻き取られることで開放状態に移行し、シャッタケース５３から繰り出されることで閉鎖状態に移行することが可能になっている。
【００３９】
シャッタカーテン５２は、スラット式シャッタカーテンとされており、長尺板状のスラット５５を複数含んで構成されている。各スラット５５は水平方向に沿って延びた状態で、上下方向に並べて配置されている。また、各スラット５５は、水平方向に延びる軸線を中心に回動可能になっており、回動することで、それらスラット５５の間の隙間を通じた通気が可能な通気状態と、スラット５５の間を通じた通気を遮断する通気遮断状態とに移行する。
【００４０】
シャッタ装置５１は、シャッタカーテン５２を昇降させるために駆動するカーテン駆動部５７と、スラット５５を回動させるために駆動するスラット駆動部５８とを有している。これら駆動部５７，５８は、電気モータを含んで構成されており、それぞれシャッタケース５３に設けられている。カーテン駆動部５７は、シャッタケース５３内の巻取ドラムを回転させるための駆動部になっており、スラット駆動部５８は、各スラット５５を個別に回動させることが可能になっている。
【００４１】
シャッタカーテン５２が開放状態にある場合、及びシャッタカーテン５２が閉鎖状態にあってもスラット５５が通気状態にある場合には、窓部４２ａを通じた和室２５の通気が可能になり、これらの場合のシャッタ装置５１の状態を通気状態と称する。一方、シャッタカーテン５２が閉鎖状態にあり且つ各スラット５５が通気遮断状態にある場合には、窓部４２ａを通じた和室２５の通気が行われず、この場合のシャッタ装置５１の状態を通気遮断状態と称する。窓部４２ａにおいては、サッシ戸４４に加えてシャッタ装置５１も通気遮断手段及び屋外状況取込手段に相当する。
【００４２】
また、シャッタカーテン５２が開放状態にある場合、及びシャッタカーテン５２が閉鎖状態にあり且つスラット５５が日射を通す角度にある場合には、窓部４２を通じた和室２５への日射が行われ、これらの場合のシャッタ装置５１の状態を採光状態と称する。一方、シャッタカーテン５２が閉鎖状態にあり且つ各スラット５５が日射を遮る角度にある場合には、窓部４２を通じた和室２５への日射がシャッタカーテン５２により遮られ、この場合のシャッタ装置５１の状態を非採光状態と称する。なお、シャッタ装置５１が非通気状態にある場合は非採光状態にあることにもなる。シャッタ装置５１は、日射を遮蔽する日射遮蔽手段に相当する。
【００４３】
次に、屋内環境監視システムの電気的な構成について説明する。
【００４４】
屋内環境監視システムは、制御手段としてのホームサーバ６１を有している。ホームサーバ６１は、ＣＰＵや各種メモリ等からなるマイクロコンピュータを含んで構成されており、例えばリビング２３の内壁面に取り付けられている。ホームサーバ６１は、窓部４２や天窓４３の開閉状態やシャッタ装置５１の動作状態などを記憶する記憶部６２を有している。
【００４５】
ホームサーバ６１には、屋外の温度を検出する外気温度センサ６５と、屋外の湿度を検出する外気湿度センサ６６と、屋外の空気質を検出する屋外空気質センサ６７とが接続されている。これらセンサ６５〜６７は、屋外において外壁４１に対して取り付けられており、それぞれ検出信号をホームサーバ６１に対して出力する。
【００４６】
また、ホームサーバ６１には、各居住空間１５，１６の温度を検出する屋内温度センサ７１と、各居住空間１５，１６の湿度を検出する屋内湿度センサ７２と、各居住空間１５，１６の空気質を検出する屋内空気質センサ７３と、窓部４２及び天窓４３の各サッシ戸４４の開閉状態を検出するサッシ戸センサ７４と、出入口４６のドア４８の開閉状態を検出するドアセンサ７５と、欄間４７の欄間扉４９の開閉状態を検出する欄間扉センサ７６と、居住空間１５，１６に人がいることを検出する人感センサ７７とが接続されており、これらセンサ７１〜７７は、それぞれ検出信号をホームサーバ６１に対して出力する。
【００４７】
屋内温度センサ７１、屋内湿度センサ７２及び屋内空気質センサ７３は、例えば間仕切壁４５の壁面に取り付けられている。サッシ戸センサ７４は、各窓部４２及び天窓４３のそれぞれに設けられており、それら窓部４２及び天窓４３のそれぞれについてサッシ戸４４が開放されていることを個別に検出する。ドアセンサ７５は、各出入口４６のそれぞれに設けられており、それら出入口４６のそれぞれについてドア４８が開放されていることを個別に検出する。欄間扉センサ７６は、各欄間４７のそれぞれに設けられており、それら欄間４７のそれぞれについて欄間扉４９が開放されていることを個別に検出する。人感センサ７７は、各居住空間１５，１６のそれぞれに設けられており、各居住空間１５，１６のそれぞれについて人が居ることを個別に検出する。
【００４８】
さらに、ホームサーバ６１には、カーテン駆動部５７と、スラット駆動部５８と、居住空間１５，１６の空調を行うエアコン等の空調装置８１と、スピーカや表示パネルを有する報知装置８２と、無線通信や有線通信が可能な通信装置８３とがアクチュエータとして接続されており、ホームサーバ６１は、指令信号を出力することでこれらアクチュエータの動作制御を行う。
【００４９】
空調装置８１は、各居住空間１５，１６のうち和室２５やリビング２３等の居室に設けられている。通信装置８３は、リモコン８４との無線通信が可能になっている。リモコン８４は、ユーザにより入力操作が行われる操作装置であり、入力操作に応じて操作信号を出力し、その操作信号が通信装置８３を介してホームサーバ６１に入力された場合に、ホームサーバ６１は、操作信号に応じて上記各アクチュエータの動作制御を行うことが可能になっている。つまり、ユーザはリモコン８４により各アクチュエータの遠隔操作を行うことができる。なお、サッシ戸４４やドア４８、欄間４７についてはユーザが遠隔操作ではなく直接的に手動操作を行うことになる。また、通信装置８３は、インターネットなどに接続することが可能になっており、ホームサーバ６１は、インターネットなどから天気情報を取得することが可能になっている。
【００５０】
シャッタ装置５１が設置されていない窓部４２又は天窓４３については、サッシ戸４４が開放状態にある場合に通気が行われ、シャッタ装置５１が設置されている窓部４２については、サッシ戸４４が開放状態にあり且つシャッタ装置５１が通気状態にある場合に通気が行われる。また、シャッタ装置５１が採光状態にある場合に、窓部４２を通じて太陽光を取り込むことが可能となる。ここで、外気や太陽光は屋外の状況を左右するものであり、外気や太陽光を居住空間１５，１６に取り込むことは屋外状況を居住空間１５，１６に取り込むことになる。
【００５１】
建物１０内を外気が通り抜けることで建物１０内の通風（換気）が行われる場合、外気の通り路となる通風経路には複数の通気部が含まれることになり、これら通気部としては、建物外周部に設けられた窓部４２や天窓４３といった通気部はもちろんのこと、間仕切壁４５に設けられた出入口４６や欄間４７といった通気部がある。
【００５２】
例えば、一階部分１２の和室２５においては、サッシ戸４４及びシャッタ装置５１の両方が通気状態にあり、且つドア４８（又は欄間扉４９）が開放されている場合に、窓部４２と出入口４６とが通風経路に含まれ、それら窓部４２及び出入口４６を通じて和室２５の通風が行われる。また、和室２５に加えてリビング２３及びキッチン２４も通風経路とされている場合、例えば和室２５に流れ込んだ外気が、出入口４６や欄間４７を通じてリビング２３やキッチン２４に流れ込み、それらリビング２３やキッチン２４を通り抜けて屋外に流れ出すことで、和室２５、リビング２３及びキッチン２４の通風がまとめて行われる。
【００５３】
したがって、建物外周部の通気部及び間仕切壁４５の通気部はいずれも、屋外状況としての外気を居住空間１５，１６に取り込むことを可能とするものであり、それら通気部を開閉するサッシ戸４４、ドア４８及び欄間扉４９は、屋外状況を窓部４２から居住空間１５，１６に取り込むこと及び屋外状況の取り込みを規制することが可能な屋外状況取込手段に相当する。これら屋外状況取込手段は、屋外状況を取り込まない状態が非操作状態（非取込状態）に相当し、屋外状況を取り込むことが可能な状態が操作状態（取込状態）に相当する。例えば、シャッタ装置５１については、通気状態が操作状態に相当し、通気遮断状態が非操作状態に相当する。また、サッシ戸４４、ドア４８及び欄間扉４９については、開放状態が操作状態に相当し、閉鎖状態が非操作状態に相当する。
【００５４】
ホームサーバ６１は、屋内環境監視処理を実行することが可能になっている。ここでは、ホームサーバ６１により実行される屋内環境監視処理について、図４のフローチャートを参照しつつ説明する。なお、ホームサーバ６１は、屋内環境監視処理を所定周期で繰り返し実行する。
【００５５】
図４において、ステップＳ１０１では、屋内温度センサ７１、屋内湿度センサ７２及び屋内空気質センサ７３の各検出信号に基づいて、各居住空間１５，１６のそれぞれについて温度や湿度、空気質といった屋内情報を取得する。ステップＳ１０２では、外気温度センサ６５、外気湿度センサ６６及び屋外空気質センサ６７の各検出信号に基づいて、屋外空間の温度や湿度、空気質といった屋外情報を取得する。また、通信装置８３を通じて、屋外の風向きや風速、天気といった天気情報を屋外情報として取得する。なお、屋外情報及び屋外情報が関連情報に相当する。
【００５６】
ステップＳ１０３では、建物１０内の通風要求があるか否かを判定する。ここでは、リモコン８４に対して通風要求を示す入力操作が行われたか否かを判定し、その入力操作が行われた場合に通風要求があるとする。通風要求としては、和室２５やリビング２３などの居住空間１５，１６ごとに通風を行わせる（空気を入れ替える）要求や、階ごとに複数の居住空間１５，１６の通風をまとめて行わせる要求、一階居住空間１５及び二階居住空間１６の通風を階段空間３８を経由させることでまとめて行わせる要求などが挙げられる。
【００５７】
なお、通風要求としては、サッシ戸４４やシャッタ装置５１、ドア４８、欄間扉４９を開放させるための開放要求が挙げられる。また、通風要求がある場合には、居住空間１５，１６において通風が行われていること（空気の流れが生じていること）が目的項目に該当する。
【００５８】
通風要求がある場合、ステップＳ１０４に進み、通風要求が既に実現されているか否かを判定する。ここでは、サッシ戸センサ７４、ドアセンサ７５及び欄間扉センサ７６の検出信号に基づいて、窓部４２、天窓４３、出入口４６及び欄間４７のそれぞれについて開閉状態を取得し、通風要求の対象とされた居住空間１５，１６について、窓部４２や天窓４３、出入口４６、欄間４７が通風可能な状態になっているか否かを判定する。そして、通風要求の対象とされた居住空間１５，１６について通風可能な状態になっている場合に、通風要求が既に実現されているとする。
【００５９】
通風要求が実現されていない場合、ステップＳ１０５に進み、通風処理を行う。通風処理については、図５のフローチャートを参照しつつ説明する。
【００６０】
図５において、ステップＳ２０１では、通風要求の対象とされた居住空間１５，１６を通風対象として特定する。なお、通風対象とされた居住空間１５，１６が、屋外状況を取り込むことを許容した非閉鎖領域に相当する。
【００６１】
ステップＳ２０２では、通風をしない非通風要求があるか否かを判定する。ここでは、リモコン８４を対象として非通風要求を示す入力操作が行われたか否かを判定し、その入力操作が行われた場合に非通風要求があるとする。非通風要求としては、和室２５などの居住空間１５，１６ごとに通風を行わない要求や、階ごとに複数の居住空間１５，１６の通風を行わない要求、一階部分１２や二階部分１３の全体の通風を行わない要求などが挙げられる。
【００６２】
また、各居住空間１５，１６のそれぞれについて空調装置８１による空調が行われているか否かを判定し、空調が行われている居住空間１５，１６については非通風要求があるとする。
【００６３】
さらに、人がいる場合には通風を行わない居住空間１５，１６（例えば浴室２７や書斎３４、子供部屋３２など）を特定領域としてあらかじめ定めておき、人感センサ７７の検出信号に基づいて特定領域に人がいるか否かを判定し、人がいる特定領域について非通風要求があるとする。
【００６４】
加えて、人がいない場合には通風を行わない居住空間１５，１６（例えば倉庫や物品保管室など）を不在空間としてあらかじめ定めておき、人感センサ７７の検出信号に基づいて不在空間に人がいるか否かを判定し、人がいない不在空間について非通風要求があるとする。
【００６５】
なお、非通風要求は、サッシ戸４４やドア４８、欄間扉４９を開放させない又は閉鎖させるための非開放要求と称することもできる。
【００６６】
非通風要求がある場合、ステップＳ２０３に進み、非通風要求の対象とされた居住空間１５，１６を非通風対象として特定する。なお、非通風対象とされた居住空間１５，１６が、屋外状況を取り込まない閉鎖領域に相当する。また、上記ステップＳ２０２の処理を行う機能が、閉鎖領域であるか否かを判定する閉鎖判定手段に相当する。さらに、空調が行われている居住空間１５，１６を非通風対象とする機能が、空調が行われている屋内領域を閉鎖領域とする手段に相当し、人がいる特定領域を非通風対象とする機能が、特定領域に人がいる場合にその特定領域を閉鎖領域とする手段に相当する。
【００６７】
ステップＳ２０４では、非通風対象とされた居住空間１５，１６の通気部（窓部４２や天窓４３、出入口４６、欄間４７）を閉鎖することを推奨する処理を行う。この処理では、非通風対象とされた居住空間１５，１６の通気部での通気遮断を推奨する旨の推奨情報を報知装置８２から音声出力や画像表示などにより報知する。ちなみに、この処理が、閉鎖領域の屋外状況取込手段を操作状態に移行させないための処理に相当し、ステップＳ２０４の処理を行う機能が移行処理手段を構成している。
【００６８】
ステップＳ２０５では、非通風対象とされた居住空間１５，１６を含まず且つ通風対象とされた居住空間１５，１６を含む通風経路の候補を算出する。例えば、和室２５が非通風対象とされ、リビング２３及びキッチン２４が通風対象とされた場合に、リビング２３及びキッチン２４の通風に際して外気が和室２５を通らない経路を通風経路の候補として算出する。この場合、通風経路の候補は複数挙げられてもよく、１つだけ挙げられてもよい。
【００６９】
ステップＳ２０６では、通風経路の候補について通風量を予測する。候補が複数ある場合には、それら候補のそれぞれについて通風量を予測する。ここでは、通風経路に含まれる居住空間１５，１６において、外気が通り抜けることで空気に流れを生じさせることが目的項目の状態変化に相当し、通風量を予測することは目的項目の状態変化を予測することになる。なお、ステップＳ２０６の処理を行う機能が、目的項目の状態変化を予測する変化予測手段、及び通風量を予測する手段に相当する。
【００７０】
ステップＳ２０７では、通風経路の候補にて通風を行った場合に生じる阻害項目の変化を予測する。候補が複数ある場合には、それら候補のそれぞれについて阻害項目の変化を予測する。ここでは、屋内環境に含まれる複数の項目のうち、変化することが屋内環境を整える上での妨げになると予想される項目を阻害項目として特定する。例えば、通風経路の候補に含まれる窓部４２や天窓４３周辺の屋外の空気質を屋外情報に基づいて算出し、外気に含まれる埃や花粉などが所定量よりも多い場合に、空気質を阻害項目として特定するとともに、居住空間１５，１６の空気質の変化を予測する。この場合、屋内情報に基づいて居住空間１５，１６における空気質を算出し、屋外の空気質と居住空間１５，１６の空気質とを比較して、通風を行うことで居住空間１５，１６の空気質がどの程度低下するかを予測する。
【００７１】
また、阻害項目としては、温度や湿度、騒音、屋外からの視線、雨の降り込みなどが挙げられる。温度や湿度の変化としては、外気温度や外気湿度により居住空間１５，１６の温度や湿度が過剰に上昇したり低下したりすることが予測される。騒音の変化としては、窓部４２や天窓４３を開放することで屋外での騒音が建物１０内に入り込みやすくなり、建物１０内に伝わる騒音の音量が大きくなると予測される。
【００７２】
屋外からの視線としては、通風を行わない状態であれば窓部４２のカーテンで屋外からの視線を遮ることができるが、通気を行うとカーテンが開けられることで屋外からの視線が遮られない状態になると予測される。ここで、シャッタ装置５１が設けられている窓部４２について、シャッタ装置５１は、シャッタカーテン５２が閉鎖状態にある場合に各スラット５５の角度を変更することで、通気状態であっても（窓部４２での通気を可能とした上で）、屋外からの視線を遮ることが可能になっている。
【００７３】
ここで、阻害項目の変化は、通風経路に含まれる窓部４２や天窓４３の位置、通風経路の形状などに応じて異なると考えられる。つまり、通風経路の候補が複数ある場合、それら候補において阻害項目の変化態様が同じではなく、阻害項目の変化態様は候補ごとに異なると考えられる。
【００７４】
なお、ステップＳ２０７の処理を行う機能が、阻害項目の状態変化を予測する阻害予測手段に相当する。
【００７５】
ステップＳ２０８では、通風経路の候補に含まれる通気部を通気状態に移行させるための作業負担（操作負荷）を算出する。候補が複数ある場合には、それら候補のそれぞれについて作業負担を算出する。ここでは、通風経路の候補に含まれている通気部の数や、それら通気部を開放させるために必要な移動距離、階段３７の昇降の有無、天窓４３の有無などを算出し、それら算出結果に応じて作業負担を指標化する。
【００７６】
ステップＳ２０９では、通風経路の候補について、通風量の予測（目的項目の変化予測）、阻害項目の変化予測及び通気部開放の作業負担に基づいて、好適な候補があるか否かを判定する。通風量の予測については、屋外の風の強さが許容範囲に含まれているか否かを判定し、風が弱すぎる場合や強すぎる場合（風速が上限基準値と下限基準値との間にない場合）は、通風量が少なすぎる又は多すぎるとする。この場合、目的項目の状態変化が許容範囲にないとして、この候補は好適ではないとする。
【００７７】
阻害項目の変化予測については、通風の実施に伴って居住空間１５，１６の空気質が許容範囲を超えるか否かを判定し、居住空間１５，１６の空気質が許容範囲を超える通風経路は好適な候補ではないとする。また、通気部開放の作業負担については、その指標が許容範囲を超える通風経路は好適な候補ではないとする。
【００７８】
なお、通風経路の候補について、好適な候補があるか否かの判定は、通風量の予測、阻害項目の変化予測、通気部開放の作業負担の他にも、建物１０の防犯性などに基づいて行われる。例えば、各窓部４２のそれぞれに対して安全レベルをあらかじめ定めておき、夜間時間帯においては、安全レベルの低い窓部４２を含む通風経路を好適な候補でないとする。例えば、人の出入りが可能な掃き出し窓であってシャッタ装置５１が設けられていない窓部４２については安全レベルを低く定めておき、天窓４３や、サッシ戸４４が片開きタイプの小窓であって開放角度が制限されている窓部４２については安全レベルを高く定めておき、夜間時間帯においては、安全レベルの高い窓部４２だけを含む通風経路を好適な候補であるとする。
【００７９】
また、ステップＳ２０９の処理を行う機能が、目的項目の状態変化が目的態様に含まれているか否かを判定する変化判定手段、及び阻害項目の状態変化が許容範囲を超えるか否かを判定する阻害判定手段、及び通風量が目標量であるか否かを判定する手段に相当する。
【００８０】
通風経路の候補に好適な候補が含まれている場合、ステップＳ２１０に進み、その候補を通風経路として設定する。なお、ステップＳ２１０の処理を行う機能が、通風経路を閉鎖領域を含まない経路として設定する経路設定手段に相当する。
【００８１】
ステップＳ２１１では、設定した通風経路の通気部を開放することを推奨する処理を行う。この処理では、通風経路に含まれる窓部４２や天窓４３、出入口４６、欄間４７について、サッシ戸４４やドア４８、欄間扉４９の開放を推奨する旨の推奨情報を報知装置８２から音声出力や画像表示などにより報知する。ちなみに、この処理が屋外状況取込手段を操作状態に移行させるための処理に相当し、ステップＳ２１１の処理を行う機能が移行処理手段を構成している。
【００８２】
一方、通風経路の候補に好適な候補が含まれていない場合、ステップＳ２１２に進み、建物１０内の通風を行わないことを推奨する処理を行う。この処理では、既に開放されている通気部を除いた他の通気部について開放しないことや、全ての通気部を通気遮断状態とすることなどを推奨する推奨情報を報知装置８２から音声出力や画像表示などにより報知する。
【００８３】
非通風要求がない場合（ステップＳ２０２がＮＯ判定の場合）、非通風対象を特定する必要がないとして、ステップＳ２１３に進み、通風対象とされた居住空間１５，１６を含む通風経路の候補を算出する。この場合、非通風対象により通風経路が制限されることがないため、非通風対象が特定された場合に比べて、多くの通風経路の候補が挙げられると想定される。その後、非通風対象が特定された場合と同様に、ステップＳ２０６〜Ｓ２１２の処理を実行する。
【００８４】
図４の説明に戻り、通風要求がない場合（ステップＳ１０３がＮＯ判定の場合）、又は通風要求が既に実現されている場合（ステップＳ１０４がＹＥＳ判定の場合）は、ステップＳ１０６に進み、採光要求があるか否かを判定する。ここでは、リモコン８４に対して採光要求を示す入力操作が行われたか否かを判定し、その入力操作が行われた場合に採光要求があるとする。採光要求としては、シャッタ装置５１が設けられている窓部４２について、シャッタ装置５１を採光状態に移行させる要求や、窓部４２に設けられているカーテンを開放させる要求などが挙げられる。なお、採光要求がある場合には、窓部４２から居住空間１５，１６に太陽光が取り込まれていること（採光）が目的項目に該当する。
【００８５】
採光要求がある場合、ステップＳ１０７に進み、採光要求が既に実現されているか否かを判定する。ここでは、シャッタ装置５１が設けられている窓部４２について、そのシャッタ装置５１が採光状態になっているか否かを判定し、採光状態になっている場合に採光要求が既に実現されているとする。
【００８６】
採光要求が実現されていない場合、ステップＳ１０８に進み、採光処理を行う。採光処理では、通風処理と同様の手順で各種処理を実行するため、採光処理については、通風処理との相違点を中心に簡単に説明する。
【００８７】
採光処理では、採光をしない非採光要求があるか否かを判定し、非採光要求がある場合には、非採光要求の対象とされた居住空間１５，１６を非採光対象として特定する。なお、非採光対象とされる居住空間１５，１６としては、空調装置８１による空調が行われている空間、人がいる場合には採光を行わないと定められ且つ人がいると判定された空間（例えば使用中の浴室２７や人が睡眠中の寝室３３など）が挙げられる。そして、非採光対象とされた居住空間１５，１６の窓部４２を閉鎖することを推奨する処理を行う。なお、隣の居住空間１５，１６から出入口４６や欄間４７を通じて日射が差し込む場合には、出入口４６や欄間４７を閉鎖することを推奨する処理を行う。
【００８８】
採光対象とされた居住空間１５，１６について、シャッタ装置５１を採光状態に移行させた場合に変化する阻害項目を特定する。採光処理においては、阻害項目を屋外からの視線とし、屋外からの視線の影響が大きい場合には、シャッタ装置５１を、シャッタカーテン５２が閉鎖状態であり且つスラット５５が採光可能な角度に開放された状態に移行させる。これにより、採光対象とされた居住空間１５，１６にスラット５５の間の隙間から日射を取り込むことができる状態で、屋外からの視線を各スラット５５により低減することができる。また、シャッタ装置５１を採光状態に移行させるための作業負担を算出する。
【００８９】
採光対象とされた居住空間１５，１６について、阻害項目の変化予測及びシャッタ装置５１の状態移行の作業負担に基づいて、窓部４２からの採光を行うか否かを判定する。そして、採光を行うと判定した場合、シャッタ装置５１を採光状態に移行させることを推奨する処理を行う。
【００９０】
次に、屋内環境監視処理が実行された場合の建物１０内への屋外状況の取り込み態様について、図６、図７を参照しつつ説明する。図６は建物１０にて行われる通風の態様について説明するための図、図７は建物１０にて行われる採光の態様について説明するための図である。なお、図６、図７においては、一階部分１２に一階居住空間１５Ａ，１５Ｂが配置され、二階部分１３に二階居住空間１６Ａ，１６Ｂが配置されている。
【００９１】
図６（ａ）においては、一階居住空間１５Ａ及び二階居住空間１６Ａが通風対象とされ、一階居住空間１５Ｂが空調装置８１により空調されていることから非通風対象とされ、二階居住空間１６Ｂが倉庫であることから非通風対象とされており、通風経路に居住空間１５Ａ，１６Ａ及び階段空間３８が含まれている。また、シーリングファン３９が内気を屋外に排出する方向に回転しており、居住空間１５Ａ，１６Ａの各出入口４６が閉鎖されている一方で、各欄間４７が開放されている。この場合、外気が居住空間１５Ａ，１６Ａの窓部４２から建物１０内に取り込まれ、その外気は居住空間１５Ａ，１６Ａの欄間４７から階段空間３８に流れ込み、階段空間３８にて上昇して天窓４３から屋外に放出される。例えば夏期においては、二階部分１３の天井付近に溜まった熱気を天窓４３から放出することができる。
【００９２】
なお、居住空間１５Ａ，１６Ａの各窓部４２にシャッタ装置５１が設けられており、それら窓部４２において、シャッタカーテン５２が閉鎖状態であって各スラット５５が開放状態で通気が行われている場合、窓部４２での防犯性が低下することが抑制され、天窓４３での安全レベルも高いため、夜間時間帯における建物１０内の通風態様として適している。また、欄間４７が開放されているため、ユーザが就寝時などに出入口４６を閉鎖しても通風経路での通風が欄間４７を通じて行われる。
【００９３】
図６（ｂ）においては、非通風対象が設定されておらず、居住空間１５Ａ，１６Ａが通風対象とされ、雨の浸入という阻害項目が生じていることから天窓４３が通風経路に含まれておらず、通風対象ではない居住空間１５Ｂ，１６Ｂ及び階段空間３８が通風経路に含まれている。ここで、居住空間１５Ａ，１５Ｂ，１６Ａ，１６Ｂは階段空間３８を通じて連通されており、それら居住空間１５Ａ，１５Ｂ，１６Ａ，１６Ｂを通じて通風が行われる。
【００９４】
図７においては、例えば冬期において建物１０内の通風が行われずに、建物１０内に日射が取り込まれている。この場合、居住空間１５Ａ、１６Ａが採光対象とされ、居住空間１５Ｂ，１６Ｂが非採光対象とされており、採光対象とされた居住空間１５Ａ，１６Ａについて窓部４２のシャッタ装置５１が採光状態にされている。また、シーリングファン３９が天井面付近の空気が下方に向けて流れるように回転しており、それによって、天井面付近に集まった暖気が二階部分１３の床付近や一階部分１２に供給されるようになっている。
【００９５】
以上詳述した本実施形態によれば、以下の優れた効果が得られる。
【００９６】
建物１０において、通風対象とされた居住空間１５，１６については、窓部４２や天窓４３、出入口４６、欄間４７を開放することで通風を行わせることができる。つまり、通風を行うという目的項目を達成することができる。一方、非通風対象とされた居住空間１５，１６については、窓部４２や天窓４３、出入口４６、欄間４７を開放しないことで通風が行われず、現在の環境を保持することができる。この場合、建物１０においては、外気を取り込むことでメリットを得ることができる領域と、外気を取り込むことでデメリットが生じることを防止できる領域とを両方とも確保することができる。つまり、通風対象と非通風対象とで居住空間１５，１６ごとに異なる環境を確保することができる。したがって、外気の取り込みを利用して屋内環境を好適に調整することができる。
【００９７】
通風対象とされた居住空間１５，１６を含んで通風経路が設定されるため、通風経路を通じて外気が建物１０内を通り抜けることで、通風対象とされた居住空間１５，１６の環境を外気により容易に変化させることができる。しかも、非通風対象とされた居住空間１５，１６は通風経路に含まれていないため、それら居住空間１５，１６の窓部４２や天窓４３、出入口４６、欄間４７などを開放させなくても、外気が通風経路を通り抜ける状態を実現できる。したがって、非通風対象に外気が取り込まれることを規制した上で、通風対象への外気の取り込み量が低下することを抑制できる。
【００９８】
通風対象とされた居住空間１５，１６の通風量に応じて通風経路が設定されるため、建物１０内における外気の流れが非通風対象の居住空間１５，１６により遮られる状態であっても、通風量を十分に確保することが可能な通風経路により通風対象の居住空間１５，１６に外気を取り込むことができる。
【００９９】
通風対象とされた居住空間１５，１６への埃や花粉等の流入状態に応じて通風経路が設定されるため、建物１０内への外気の取り込みに伴って埃や花粉等が流入しにくい通風経路を通じて、通風対象とされた居住空間１５，１６に外気と取り込むことが可能となる。これにより、通風に伴って通風対象の居住空間１５，１６の空気質が低下するということを抑制できる。
【０１００】
通風経路を確保するために必要な作業負担に応じて通風経路が設定されるため、通風量は少なめでも作業負担が小さく作業が容易な通風経路と、作業負担は大きくても通風量を十分に確保できる通風経路とを選択することができる。これにより、ユーザの年齢や体調などに応じて、通風対象とされた居住空間１５，１６への外気の取り込み態様と通風経路を確保するための作業負担とのバランスをとることができる。
【０１０１】
空調装置８１による空調が行われている居住空間１５，１６が通風対象とされるため、通風対象とされた居住空間１５，１６において、空調が行われているにもかかわらず外気が取り込まれて温度や湿度が変化してしまうということを回避できる。
【０１０２】
ユーザが使用している時には通風を行わない特定領域については、ユーザがいる場合に、その特定領域の環境が外気の取り込みにより変化するということを抑制できる。これにより、例えばユーザが入浴中の浴室２７に外気が取り込まれることや、ユーザが作業している書斎３４等に意図せずに外気が取り込まれることを回避できる。
【０１０３】
［他の実施形態］
本発明は上記実施形態の記載内容に限定されず、例えば次のように実施されてもよい。
【０１０４】
（１）上記実施形態では、屋外状況取込手段を操作状態に移行させるための処理、及び屋外状況取込手段を操作状態に移行させないための処理として、報知装置８２による報知が行われたが、屋外状況取込手段の動作制御が行われてもよい。例えば、窓部４２に対して、サッシ戸４４を開閉させることが可能なサッシ戸駆動部が設けられており、取込処理として、開放対象の窓部４２のサッシ戸４４をサッシ戸駆動部が強制的に開放させる処理が行われる構成とする。この構成では、閉鎖領域のサッシ戸４４が開放状態に移行しないようにサッシ戸駆動部により閉鎖状態を保持する処理が行われる。これは、天窓４３のサッシ戸４４や、出入口４６のドア４８、欄間４７の欄間扉４９についても同様である。
【０１０５】
（２）屋外情報及び屋内情報を含む関連情報には、都度の時間帯を示す情報や、住人のスケジュールを示す情報などが含まれていてもよい。要は、関連情報が、居住空間１５，１６の目的項目に関連する情報であればよい。
【０１０６】
（３）上記実施形態では、通気や日射が窓部４２や天窓４３を通じて居住空間１５，１６に取り込まれる構成としたが、外壁４１等の建物外周部に設けられた通気部には、玄関口等の出入口や換気孔などの開口部が含まれていてもよい。玄関口が通気部とされた構成では、玄関口に設けられた玄関ドアが通気遮断手段及び屋外状況取込手段に相当し、玄関ドアが開閉されることで外気や日射の取り込みの実行及び非実行が切り替えられることになる。換気孔が通気部とされた構成では、換気孔に設けられた換気扇（ファン）が通気遮断手段及び屋外状況取込手段に相当し、換気扇が動作及び停止されることで外気の取り込みの実行及び非実行が切り替えられることになる。
【０１０７】
また、間仕切壁４５に設けられた通気部には、ドア４８を貫通する通気孔やアンダーカット、間仕切壁４５を貫通する通気孔などの開口部が含まれていてもよい。この場合でも、開口部を開閉する開閉体が設けられていれば、その開閉体が通気遮断手段及び屋外状況取込手段に相当する。
【０１０８】
さらに、リビング２３及びキッチン２４のように間仕切壁４５により仕切られていない居住空間１５，１６同士であっても、それら居住空間１５，１６同士の境界部にカーテン等の仕切体が設けられていれば、それら居住空間１５，１６の間の空気の流れを規制することができる。この場合、仕切体が通気遮断手段及び屋外状況取込手段に相当する。
【０１０９】
（４）屋外状況の取り込み判定に用いられる関連情報には、ユーザの健康状態や体質などが含まれていてもよい。例えば、ユーザの健康状態や体質としては、空気の流れによって目の乾きや肌の乾燥を感じやすい、屋外の騒音やテレビの音、子供の声などが気にやりやすい、花粉症や喘息、風邪であることなどによりタバコの煙等の空気質に敏感に反応しやすい、などの傾向が挙げられる。
【０１１０】
（５）上記実施形態では、通風処理と採光処理とが並列に実行されない構成としたが、これら通風処理と採光処理とが並列に実行される構成としてもよい。この構成では、通風対象と採光対象とが同じ居住空間１５，１６とされた場合には、その居住空間１５，１６に対して外気及び日射の両方を取り込むための処理が行われることになる。
【０１１１】
（６）上記実施形態では、和室２５などの居住空間１５，１６に個別に空調装置８１が設けられている構成としたが、建物１０においては全館空調システムが構築されていてもよい。この場合、空調装置８１にて生成された空調空気を供給する給気部が居住空間１５，１６ごとに設けられていればよい。
【符号の説明】
【０１１２】
１０…建物、１５…屋内領域としての一階居住空間、１６…屋内領域としての二階居住空間、４２…通気部としての窓部、４３…通気部としての天窓、４４…通気遮断手段及び屋外状況取込手段としてのサッシ戸、４６…通気部としての出入口、４７…通気部としての欄間、４８…通気遮断手段及び屋外状況取込手段としてのドア、４９…通気遮断手段及び屋外状況取込手段としての欄間扉、５１…通気遮断手段及び屋外状況取込手段としてのシャッタ装置、６１…閉鎖判定手段、変化予測手段、変化判定手段、移行処理手段、経路設定手段、阻害予測手段及び阻害判定手段としてのホームサーバ、６５…情報取得手段としての外気温度センサ、６６…情報取得手段としての外気湿度センサ、６７…情報取得手段としての屋外空気質センサ、７１…情報取得手段としての屋内温度センサ、７２…情報取得手段としての屋内湿度センサ、７３…情報取得手段としての屋内空気質センサ、７７…人検出手段としての人感センサ、８１…空調装置。
【図１】
2014081163.tif 000003
【図２】
2014081163.tif 000004
【図３】
2014081163.tif 000005
【図４】
2014081163.tif 000006
【図５】
2014081163.tif 000007
【図６】
2014081163.tif 000008
【図７】
2014081163.tif 000009